(57)【特許請求の範囲】
【請求項１】
着脱可能な記録媒体に情報を記録する第１の記録手段と、該第１の記録手段による記録を補助するための一時記録領域を有する第２の記録手段とを備えた複合情報記録装置において、
前記第１の記録手段への入力ディジタル信号の記録中に、追いかけ再生の指示が入力した場合、前記第１の記録手段は前記入力ディジタル信号の記録を中止して、前記第１の記録手段に記録された前記入力ディジタル信号の再生を開始する一方、前記第２の記録手段はその一時記録領域に少なくとも前記第１の記録手段への記録を中止した以後の前記入力ディジタル信号を記録し、前記第１の記録手段に記録された前記入力ディジタル信号の再生終了後は、前記第２の記録手段はその一時記録領域に記録された前記入力ディジタル信号を再生すると共に、その再生された前記入力ディジタル信号を前記第１の記録手段が記録し、
前記第２の記録手段が有する前記一時記録領域の記録容量を、前記第１の記録手段の記録容量の略１／２とすることを特徴とする複合情報記録装置。
【請求項２】
着脱可能な記録媒体に情報を記録する第１の記録手段と、該第１の記録手段による記録を補助するための一時記録領域を有する第２の記録手段とを備えた複合情報記録装置において、
前記第１の記録手段への入力ディジタル信号の記録中に、追いかけ再生の指示が入力した場合、前記第１の記録手段は前記入力ディジタル信号の記録を中止して、前記第１の記録手段に記録された前記入力ディジタル信号の再生を開始する一方、前記第２の記録手段はその一時記録領域に少なくとも前記第１の記録手段への記録を中止した以後の前記入力ディジタル信号を記録し、前記第１の記録手段に記録された前記入力ディジタル信号の再生終了後は、前記第２の記録手段はその一時記録領域に記録された前記入力ディジタル信号を再生すると共に、その再生された前記入力ディジタル信号を前記第１の記録手段が記録し、
前記第２の記録手段が有する前記一時記録領域の記録容量を、前記第１の記録手段により記録すべきひとまとまりの情報の量の略１／２とすることを特徴とする複合情報記録装置。
【請求項３】
着脱可能な記録媒体に情報を記録する第１の記録手段と、該第１の記録手段による記録を補助するための一時記録領域を有する第２の記録手段とを備えた複合情報記録装置において、
前記第１の記録手段に記録された情報を再生しながら、入力情報を前記第２の記録手段に記録する追いかけ再生記録モードによる記録動作を行うように制御する制御手段を備え、該制御手段は、前記一時記録領域の記録容量が、前記第１の記録手段により記録すべきひとまとまりの情報の量の略１／２より少ないときは、前記追いかけ再生記録モードへの移行を禁止することを特徴とする複合情報記録装置。
【発明の詳細な説明】
【０００１】
【発明の属する技術分野】
本発明は、例えば磁気テープ及びハードディスクという２種類の記録媒体について情報の記録再生を行う機能を備えた複合情報記録装置に関する。
【０００２】
【従来の技術】
磁気テープのようなテープ状記録媒体は、大容量で単位情報量当たりのコストが低いという長所があるが、所望の情報の記録部分へのアクセス時間が長いという短所がある。一方ハードディスクのようなディスク状記録媒体はアクセス時間が短い点でテープ状記録媒体より、優れているが、記録容量と経済性では、テープ状記録媒体より劣る。したがって、必要に応じて両者の長所を使い分けられるようなシステムが望まれる。
【０００３】
例えば特公平７−３１９０５号公報には、テープ状記録媒体と、ディスク状記録媒体とを併用し、ディスク状記録媒体には、テープ状記録媒体に記録した画像情報の単位部分の初めの数分間分だけ記録しておき、テープ状記録媒体のある単位部分にアクセスするときは、ディスク状記録媒体の対応する部分を再生しながら、テープ状記録媒体の該当部分へのアクセスを行い、該当部分の再生が可能となった時点でディスク状記録媒体の再生を停止して、テープ状記録媒体の再生を開始するようにした複合情報記録装置が示されている。
【０００４】
【発明が解決しようとする課題】
上記したような複合情報記録装置においては、ディスク状記録媒体の補助的な記録を行うための領域の記録容量は、記録すべき情報の一部が記録できないような事態を回避するためには、大きいほどよいことは言うまでもないが、経済性を考慮すると、必要最小限の容量とすることが望まれる。
【０００５】
また本出願人は、磁気テープに記録された画像情報を再生しつつ、磁気ディスクに入力情報を記録するいわゆる「追いかけ再生記録動作」を可能とした複合記録装置を既に提案している（特願平１１−３２６２１８号）。この装置では、１つの番組の記録途中において追いかけ再生記録動作を開始した場合、磁気ディスクの空き記録容量が少ないときは（例えば、磁気ディスクに既に複数の番組が完全な形で記録されているようなときは）、追いかけ再生記録動作を開始した番組を最後まで記録できない事態が発生する可能性がある。したがって、そのような事態を確実に回避できるようにすることが望まれる。
【０００６】
本発明は上述した点に着目してなされたものであり、磁気テープのような着脱可能で大容量の記録媒体への情報の記録を行う第１の記録手段と、第１の記録手段の補助的機能を果たす第２の記録手段とを備えた複合情報記録装置において、第１の記録手段の補助的機能を果たす記録領域の容量を過不足なく設定し、第２の記録手段において他の情報を記録できる容量を十分に確保できるようにすることを第１の目的とし、また追いかけ再生記録動作を行う場合に、記録すべき情報を最後まで記録できないような事態を確実に回避できるようにすることを第２の目的とする。
【０００７】
【課題を解決するための手段】
上記第１の目的を達成するため請求項１に記載の発明は、手着脱可能な記録媒体に情報を記録する第１の記録手段と、該第１の記録手段による記録を補助するための一時記録領域を有する第２の記録手段とを備えた複合情報記録装置において、前記第１の記録手段への入力ディジタル信号の記録中に、追いかけ再生の指示が入力した場合、前記第１の記録手段は前記入力ディジタル信号の記録を中止して、前記第１の記録手段に記録された前記入力ディジタル信号の再生を開始する一方、前記第２の記録手段はその一時記録領域に少なくとも前記第１の記録手段への記録を中止した以後の前記入力ディジタル信号を記録し、前記第１の記録手段に記録された前記入力ディジタル信号の再生終了後は、前記第２の記録手段はその一時記録領域に記録された前記入力ディジタル信号を再生すると共に、その再生された前記入力ディジタル信号を前記第１の記録手段が記録し、前記第２の記録手段が有する前記一時記録領域の記録容量を、前記第１の記録手段の記録容量の略１／２とすることを特徴とする。
【０００８】
ここで「第１の記録手段の記録容量の略１／２」とは、具体的には、第１の記録手段の記録容量の１／２に、再生すべき情報の頭出しに要する時間ＴＲに相当する容量を加えた情報量を意味する。時間ＴＲは、記録媒体としてディスク状記録媒体を使用すれば無視しうる程度となる。
【０００９】
請求項２に記載の発明は、着脱可能な記録媒体に情報を記録する第１の記録手段と、該第１の記録手段による記録を補助するための一時記録領域を有する第２の記録手段とを備えた複合情報記録装置において、前記第１の記録手段への入力ディジタル信号の記録中に、追いかけ再生の指示が入力した場合、前記第１の記録手段は前記入力ディジタル信号の記録を中止して、前記第１の記録手段に記録された前記入力ディジタル信号の再生を開始する一方、前記第２の記録手段はその一時記録領域に少なくとも前記第１の記録手段への記録を中止した以後の前記入力ディジタル信号を記録し、前記第１の記録手段に記録された前記入力ディジタル信号の再生終了後は、前記第２の記録手段はその一時記録領域に記録された前記入力ディジタル信号を再生すると共に、その再生された前記入力ディジタル信号を前記第１の記録手段が記録し、前記第２の記録手段が有する前記一時記録領域の記録容量を、前記第１の記録手段により記録すべきひとまとまりの情報の量の略１／２とすることを特徴とする。
ここで「記録すべきひとまとまりの情報の量の略１／２」とは、具体的には、記録すべきひとまとまりの情報の量の１／２に、前記ひとまとまりの情報の頭出しに要する時間ＴＲに相当する容量を加えた情報量を意味する。
【００１０】
また上記第２の目的を達成するため請求項３に記載の発明は、着脱可能な記録媒体に情報を記録する第１の記録手段と、該第１の記録手段による記録を補助するための一時記録領域を有する第２の記録手段とを備えた複合情報記録装置において、前記第１の記録手段に記録された情報を再生しながら、入力情報を前記第２の記録手段に記録する追いかけ再生記録モードによる記録動作を行うように制御する制御手段を備え、該制御手段は、前記一時記録領域の記録容量が、前記第１の記録手段により記録すべきひとまとまりの情報の量の略１／２より少ないときは、前記追いかけ再生記録モードへの移行を禁止することを特徴とする。
【００１１】
【発明の実施の形態】
以下本発明の実施の形態を図面を参照して説明する。
図１は本発明の一実施形態にかかる複合情報記録装置としてのディジタル画像信号記録装置の要部の構成を示すブロック図であり、この装置は、ＭＰＥＧトランスポートストリームを所定のフォーマットに変換してテープ状記録媒体としての磁気テープ１００及びディスク状記録媒体としての磁気ディスク２００に記録し、該記録した信号を再生してもとのＭＰＥＧトランスポートストリームとして出力するものである。
【００１２】
図１の装置は、トランスポートストリームに含まれるＳＣＲ（System Clock Reference、システム時刻基準）信号を抽出するＴＳデコード部１１と、２７ＭＨｚの基準クロック信号ＲＥＦ２７Ｍを出力する基準発振器２１と、前記ＳＣＲ信号及び基準クロック信号ＲＥＦ２７Ｍに基づいて、記録するパケットの到着時間間隔を再現するための記録タイムスタンプを生成するとともに、後述する１記録単位の記録周期に対応した記録用の１０Ｈｚ基準信号ＲＥＦ１０ＲＥＣを生成する記録タイムスタンプ生成部１２と、入力信号にタイムスタンプを付加して出力するタイムスタンプ付加部１３と、スイッチ１４と、記録信号の生成及び変調を行うとともに、再生信号の復調、画像及び音声などのデータやＩＤ情報などの制御情報を抽出するテープ信号処理部１５と、磁気ヘッド、記録アンプ、再生アンプ等で構成され、磁気テープ１００への信号の記録及び磁気テープ１００からの信号の再生を行うテープ記録再生部１６と、入力されるトランスポートストリームのパケット数をカウントするパケットカウンタ１７と、ディスク２００に記録する信号を一時的に格納するメモリ１８と、記録するファイルの構成及び再生されたファイルを元のデータに戻す等の処理を行うディスク信号処理部１９と、磁気ヘッド、記録アンプ、再生アンプ等で構成され、磁気ディスク２００への信号の記録及び磁気ディスク２００からの信号の再生を行うディスク記録再生部２０と、後述するコピーモードにおいてディスク２００から再生された信号を一時的に格納するメモリ２２と、メモリ２２から信号を読み出し、トランスポートストリームを構成するＴＳエンコード部２３と、磁気ディスク２００から再生された信号を一時的に格納するメモリ２４と、スイッチ２５と、基準クロック信号ＲＥＦ２７Ｍに基づいて再生タイムスタンプを生成するとともに、再生用の１０Ｈｚ基準信号ＲＥＦ１０ＰＢを生成して出力する再生タイムスタンプ生成部２６と、磁気テープ１００または磁気ディスク２００から再生された信号を元のＭＰＥＧトランスポートストリームに戻して出力するＴＳエンコード部２７とを備えている。
【００１３】
スイッチ１４は、入力されるトランスポートストリームを磁気テープ１００に記録するときは、端子ａに接続され、磁気ディスク２００から再生されるトランスポートストリームを磁気テープ１００に記録するコピーモードにおいては、端子ｂに接続される。またスイッチ２５は、記録信号を出力するときは、端子ａに接続され、磁気ディスク２００から再生した信号を出力するときは、端子ｂに接続され、磁気テープ１００から再生した信号を出力するときは、端子ｃに接続される。
【００１４】
テープ信号処理回路１５は、磁気テープ上の６トラック分の信号を記憶する６トラックメモリ、記録信号の誤り訂正符号化を行う誤り訂正符号化回路、入力信号にシンクパターンや制御情報としてのＩＤ情報を付加してシンクブロックを構成するとともに、磁気テープ上に所定のトラックが形成されるように記録信号を構成し、さらに記録信号の変調などを行うトラックフォーマットエンコード回路、磁気テープ１００から再生された信号の復調、データの抽出などを行うトラックフォーマットデコード回路、再生信号の誤り訂正復号化を行う誤り訂正復号化回路等からなる。
【００１５】
テープ信号処理部１５の６トラックメモリに格納される６トラック分データは、誤り訂正符号化及び復号化の単位、すなわち誤り訂正の単位となるデータであり、本明細書ではこれを記録単位と呼ぶ。本実施形態では、１記録単位が記録時間０．１秒に対応するので、１０Ｈｚの基準信号ＲＥＦ１０ＲＥＣ及びＲＥＦ１０ＰＢが、各部に供給される。
【００１６】
ディスク信号処理部１９は、メモリ１８からデータを読み出してディスク２００に記録する単位としてのファイルを構成するファイルフォーマット回路、再生されたファイルを元のデータに戻すファイルデコード回路等からなる。メモリ１８は、テープ信号処理部１５の６トラックメモリと同じデータを記憶する。ただし、６トラックメモリには、入力ディジタル信号のデータ量が少ないときにはダミーデータが記憶されが、メモリ１８にはダミーデータは記憶されない。
【００１７】
図２は、磁気テープ１００上の記録パターンを示す図であり、矢線（矢印を付した線）ＴＲは、磁気テープ１００の走行方向を示し、矢線ＨＴは磁気ヘッドの走査方向を示す。また太線で囲んだ６トラックが上記記録単位であり、磁気テープ１００の下部には、再生時のトラッキングの基準とするコントロール（ＣＴＬ）信号が磁気テープの走行方向（長手方向）に平行に記録されている。
【００１８】
図１に戻り、テープ信号処理部１５は、下記式（１）で定義される絶対トラック番号ＡＴＮを図３に示すＩＤ情報に書き込む処理を行う。
ＡＴＮ＝ｉｎｔ（ｎ×ＴＰ／１４．５）    （１）
ここで、ＴＰは磁気テープ上のトラックピッチ（μｍ），ｎは０以上の整数，ｉｎｔは、（）内の値の整数部を抽出する演算子である。例えばＴＰ＝２９μｍであれば、絶対トラック番号ＡＴＮは、１トラック毎に２カウントずつ増加するように定義される。ＡＴＮ＝０の位置は、磁気テープの開始端から３０秒以内の位置とされる。
【００１９】
図３においてＩＤ０，ＩＤ１は、ＩＤ情報（３バイト）の第１バイトと第２バイトであり、シンクブロック番号（ＳＢ＃）は、トラックの開始端に位置するシンクブロックのシンクブロック番号を「０」として、トラックの終了端に向かって「１」ずつ増加するように各シンクブロックに付される番号である。絶対トラック番号ＡＴＮは、シンクブロック番号が、「４」の整数倍＋１（４ｎ＋１）、「４」の整数倍＋２（４ｎ＋２）、及び「４」の整数倍＋３（４ｎ＋３）のシンクブロックの第１バイトＩＤ０に書き込まれる。ＳＢ＃＝４ｎ＋１のシンクブロックの第１バイトＩＤ０に書き込まれるＳＦ情報は、絶対トラック番号ＡＴＮをサポートするか否かを示す情報であり、ＳＦ情報が１１Ｂ（Ｂは２進数であることを示すために付している）であるとき、絶対トラック番号ＡＴＮをサポートすることを示す。またシンクブロック番号は、第２バイトＩＤ１のビットｂ３〜ｂ０に書き込まれる。
【００２０】
テープ信号処理部１５のトラックフォーマットエンコード回路で構成されるシンクブロックは、図５に示すように連続する２つのシンクブロックにＭＰＥＧ２トランスポートパケットの１８８バイト（９２バイト＋９６バイト）のデータが格納されるように定義されており、タイムスタンプはパケットヘッダに格納されて記録される。
【００２１】
以上のように、入力ディジタル信号は、６トラック分のデータを記録単位として誤り訂正符号化され、シンクブロックに格納されるとともに、シンクブロック内のＩＤ情報に絶対トラック番号ＡＴＮが書き込まれて、磁気テープ１００に記録される。
【００２２】
図１に戻り、ディスク信号処理部１９のファイルフォーマット回路は、メモリ１８に格納されたデータを読み出し、ディスク２００に記録するためのファイル（以下「ディスク記録ファイル」という）に変換する処理を行う。図４（ａ）は、ファイルフォーマット回路で生成されるディスク記録ファイルの第１のフォーマットを示す図であり、このファイルは、ファイル情報（Ｎバイト（例えば３バイト））と、絶対トラック番号ＡＴＮｄ（４バイト）と、パケットカウンタ１７から入力される、メモリ１８に格納されているパケット数ＲＥＣＴＳ（２バイト）と、図５に示す４バイトのパケットヘッダと同一のパケットヘッダＰＨ（４バイト）と、パケットヘッダＰＨで示されるタイムスタンプに対応する１パケットに格納された有効データＴＳＤＡＴＡ（１８８バイト）とによって構成される。
【００２３】
ここで、ディスク記録ファイルに書き込まれる絶対トラック番号ＡＴＮｄ（以下「ディスク絶対トラック番号ＡＴＮｄ」という）は、６トラックメモリ内のデータが最初に記録されるトラックの絶対トラック番号ＡＴＮであり、ディスク絶対トラック番号ＡＴＮｄから次の絶対トラック番号ＡＴＮｄの直前の有効データＴＳＤＡＴＡまでが、磁気テープ上の記録単位、すなわち６トラック分のデータに対応する。なお、絶対トラック番号ＡＴＮはテープ信号処理部１５からディスク信号処理部１９に供給される。また有効データＴＳＤＡＴＡは、シンクブロックに含まれるシンクパターンやＩＤ情報などを除いた正味のデータに対応する。
【００２４】
ディスク絶対トラック番号ＡＴＮｄは、磁気テープに記録された絶対トラック番号ＡＴＮと同一の番号としてよいが、６で割り切れる絶対トラック番号ＡＴＮのトラックに６トラックメモリの最初のデータを記録するように制御すれば、６で割った値をディスク絶対トラック番号ＡＴＮｄとしてもよい。記録時にディスク絶対トラック番号ＡＴＮｄを絶対トラック番号ＡＴＮと同一としない場合は、再生時に同期をとるときに、ディスク絶対トラック番号ＡＴＮｄに対して記録時の処理と逆の処理（例えば上記したように絶対トラック番号ＡＴＮを６で割る処理を行った場合は、６を乗算する処理）を行う。
【００２５】
ディスク信号処理部１９のファイルフォーマット回路は、ファイルのサイズが一定のバイト数に達するまで、またはファイルに格納したトラック数が所定のトラック数（記録単位（６トラック）の整数倍のトラック数、例えば１２トラックとする）に達するまでを１ファイルとして、順次ディスク記録ファイルを構成して出力する。
【００２６】
ディスク信号処理部１９から出力されるディスク記録ファイルは、ディスク記録再生部２０に供給され、ディスク記録再生部２０は、ディスク記録ファイルを磁気ディスク２００に記録する。
なお、本装置は、磁気ディスク２００への信号の記録と、磁気ディスク２００からの信号の再生を並行して行うことができるように構成されている。すなわち入力ディジタル信号が入力される実時間より短い時間（例えば１／２の時間）で記録動作を行い、磁気ディスク２００への記録動作を行わない時間内に磁気ディスク２００からの再生動作を行う時分割動作を実行できるように構成されている。
【００２７】
以上のように本装置では、磁気テープ１００に記録するシンクブロックに、そのシンクブロックが記録される絶対トラック番号ＡＴＮを書き込んで記録するとともに、磁気ディスク２００に記録するデータにも磁気テープ上の絶対トラック番号ＡＴＮに対応するディスク絶対トラック番号ＡＴＮｄを付して記録し、しかも磁気テープ１００の記録単位と、磁気ディスク２００の記録単位とが同一となるようにしたので、入力ディジタル信号を、磁気テープ１００及び磁気ディスク２００に、記録データの対応付けをして容易に記録することができる。したがって、必要に応じて磁気テープ１００と、磁気ディスク２００とを容易に使い分けることができるとともに、再生時には、磁気テープ１００からの再生データと、磁気ディスク２００からの再生データとを容易に同期させることが可能となる。
【００２８】
なお、磁気テープ１００への記録動作を行わずに磁気ディスク２００への記録動作のみ実行するときは、絶対トラック番号ＡＴＮは生成されないので、磁気ディスク２００に記録するファイルは、図４（ｂ）に示すように絶対トラック番号ＡＴＮを含まない第２のフォーマットとする。
【００２９】
次に再生時の動作を説明する。磁気テープ１００からの再生を行う場合は、スイッチ２５は端子ｃに接続される。テープ信号処理部１５においては、再生信号の復調、データの抽出、誤り訂正復号化などの処理が行われ、処理後の信号が６トラックメモリに格納される。再生タイムスタンプ生成部２６は、基準クロック信号ＲＥＦ２７Ｍに基づいて基準タイムスタンプを生成し、ＴＳエンコード部２７に供給する。ＴＳエンコード部２７では、再生されたタイムスタンプと、基準タイムスタンプとが比較され、両者が一致するタイミングでテープ信号処理部１６の６トラックメモリからトランスポートパケットが読み出されて出力される。これにより、再生時の６トラックメモリからの読み出しタイミングが記録時のタイムスタンプ生成タイミングと同期し、トランスポートパケットの出力時間間隔は、記録時の到着時間間隔と等しいものとなる。
【００３０】
また磁気ディスク２００からの再生を行う場合は、スイッチ２５は端子ｂに接続される。ディスク信号処理部１９においては、記録時に生成したファイルを元のトランスポートストリームに戻す処理が行われ、処理後の信号がメモリ２４に格納される。メモリ２４からの読み出しタイミングは、磁気テープ１００の再生時と同様に再生タイムスタンプが基準タイムスタンプと一致するように制御される。また磁気ディスク２００から再生した信号を磁気テープ１００に記録するコピーモードにおいては、ディスク信号処理部１９の出力信号はメモリ２２に格納される。ＴＳエンコード部２３では、再生されたタイムスタンプと、基準タイムスタンプとが比較され、両者が一致するタイミングでメモリ２２からトランスポートパケットが読み出されてスイッチ１４に出力される。
【００３１】
次に図６を参照して、磁気テープ１００への記録動作中に、記録した信号を最初から再生しつつ、入力ディジタル信号の記録動作を継続し、最終的には入力ディジタル信号をすべて磁気テープ１００に記録する追いかけ再生記録動作について説明する。同図（ａ）は、入力されるディジタル信号、すなわちＭＰＥＧトランスポートストリームを示し、同図（ｂ）（ｃ）は、それぞれ磁気テープ１００の記録再生動作及び磁気ディスク２００の記録再生動作を示す。
【００３２】
先ず時刻ｔ０から入力ディジタル信号Ｐ１を磁気テープ１００に記録する動作を開始する。このときスイッチ１４は端子ａに接続され、スイッチ２５は端子ａに接続されている。そして、入力ディジタル信号Ｐ１の記録中の時刻ｔ１において、使用者が巻き戻し・同時再生（追いかけ再生記録動作）を指示したとすると、その時点から所定時間ＴＯＬの間は、入力ディジタル信号Ｐ１を磁気テープ１００に記録する動作を継続するとともに、時刻ｔ１から入力ディジタル信号Ｐ１を磁気ディスク２００にも記録する動作を開始する。したがって、時刻ｔ１〜ｔ２間はディジタル信号Ｐ１が磁気テープ１００と磁気ディスク２００とに重複して記録される。
【００３３】
所定時間ＴＯＬ経過後の時刻ｔ２において磁気テープ１００への記録を終了するとともに、入力ディジタル信号Ｐ２を磁気ディスク２００に記録する動作を継続する。すなわち、磁気ディスク２００へ信号を記録する記録モードはそのまま維持され、ディジタル信号Ｐ１の最後の所定時間ＴＯＬの部分に続けてディジタル信号Ｐ２が記録される。このとき、磁気テープ１００に記録した最終記録単位の絶対トラック番号ＡＴＮを、最終記録絶対トラック番号ＡＴＮｅとして保持する。なお、入力ディジタル信号に付した符号Ｐ１，Ｐ２は、単に磁気テープ１００に記録済みの部分と、まだ記録していない部分とを区別するために付したものであり、実際には一つの番組（プログラム）であってもよいし、時刻ｔ２の近傍で番組が変化するような場合であってもよい。
【００３４】
磁気ディスク２００のみに記録する場合は、絶対トラック番号ＡＴＮが生成されないので、前述したように図４（ｂ）に示す第２のファイルフォーマットで記録が行われる。
時刻ｔ２から使用者の操作に応じて磁気テープ１００をディジタル信号Ｐ１の記録開始位置まで巻き戻す動作が行われ、磁気テープ１００に記録されたディジタル信号Ｐ１の再生動作を時刻ｔ３から開始する。巻き戻し動作中に１０Ｈｚ基準信号は、ＲＥＦ１０ＲＥＣからＲＥＦ１０ＰＢに切り換えられ、時刻ｔ３においてスイッチ２５は端子ａから端子ｃに切り換えられる。そして、ディジタル信号Ｐ１の再生終了予定時刻ｔ５の所定時間ＴＯＬ前の時刻ｔ４から磁気ディスク２００と、磁気テープ１００の同期再生を開始する（同期再生モードに移行する）。同期再生とは、磁気テープ１００から再生される絶対トラック番号ＡＴＮｔと、磁気ディスク２００から再生される絶対トラック番号ＡＴＮｄとが一致するように再生することをいう。
【００３５】
同期再生を開始しても、磁気ディスク２００にディジタル信号Ｐ２を記録する動作は継続する。すなわち磁気ディスク２００への記録及び再生は並列的に時分割動作で実行される。所定時間ＴＯＬは、時刻ｔ１からｔ２まで重複記録を実行した時間であり、この所定時間ＴＯＬ、並びに出力中の信号の絶対トラック番号ＡＴＮ及び最終記録絶対トラック番号ＡＴＮｅに基づいて、同期再生を開始する時刻ｔ４を決定することができる。同期再生実行中にスイッチ１４が端子ａから端子ｂに切り換えられ、スイッチ２５が端子ｃから端子ｂに切換られる。
【００３６】
そして時刻ｔ５において同期再生モードから、磁気ディスク２００から再生されるディジタル信号Ｐ２を磁気テープ１００に記録するコピーモードに移行する。磁気ディスク２００から再生されディスク信号処理部１９から出力される信号は、メモリ２２，ＴＳエンコード部２３，スイッチ１４を介してテープ信号処理部１５に入力され、磁気テープ１００に記録される。このとき１０Ｈｚ基準信号は、ＲＥＦ１０ＰＢが継続して使用される。磁気ディスク２００から再生される信号には、タイムスタンプが付加されているので、基準信号をＲＥＦ１０ＰＢとしても入力トランスポートストリームの到着時間間隔を再現する上で特に問題は生じない。また磁気テープ１００に記録する最初の絶対トラック番号ＡＴＮは、前述した最終記録絶対トラック番号ＡＴＮ（ＡＴＮｅ）に基づいて絶対トラック番号ＡＴＮの連続性を維持するように決定する。例えばトラックピッチが２９μｍのときは、６トラックで絶対トラック番号は１２増加するので、コピーモードの最初の絶対トラック番号ＡＴＮは、ＡＴＮｅ＋１２とする。このように絶対トラック番号ＡＴＮを設定することにより、絶対トラック番号ＡＴＮの連続性を維持することができる。
【００３７】
その後時刻ｔ６になるとディジタル信号Ｐ２を磁気ディスク２００に記録する動作を終了し、時刻ｔ７においてコピーモードの動作、すなわち磁気ディスク２００からディジタル信号Ｐ２を再生して磁気テープ１００に記録する動作を終了する。
【００３８】
以上のように本装置によれば、入力ディジタル信号の記録途中から記録済みディジタル信号の再生を開始するとともに、入力ディジタル信号の連続性を保持しながら記録を継続し、最終的に磁気テープ１００にすべての入力ディジタル信号を記録する追いかけ再生記録動作を実現することが可能となる。しかも、入力ディジタル信号の終了時点ですべての信号が磁気テープ１００に連続性を維持して記録されているので、入力ディジタル信号を最初から最後まで通して磁気テープ１００に記録した場合と同じ記録済みテープを得ることができる。また追いかけ再生において、媒体を切り換えるときは、同期再生により信号の連続性が保持されるので、切換時点での信号の抜けや重複が無く、滑らかな切換を行うことができる。
【００３９】
また、テープ信号処理部１５における信号処理やテープ記録再生部１６における増幅処理には、装置固有の処理時間ＴＰＲを必要とするので、コピーモードにおいてはメモリ２２によりその処理時間ＴＰＲに応じた信号のタイミング調整処理が行われ、磁気テープ１００上の記録信号の連続性が維持される。
【００４０】
次に図６に示す場合について、追いかけ再生記録動作に必要な磁気ディスク２００の記録容量について検討する。この例では、ディジタル信号Ｐ１及びＰ２が、記録すべきひとまとまりの情報に相当する。ディジタル信号（Ｐ１＋Ｐ２）の記録の途中で、追いかけ再生記録動作を開始した場合に、ディジタル信号（Ｐ１＋Ｐ２）をすべて記録するための必要な、磁気ディスク２００上の一時記録領域の最小記録容量は、図６に示す時間ＴＤに相当する容量である。
【００４１】
図６（ｃ）を見ると、時刻ｔ１からｔ６までの時間に相当する容量が必要なようにも見えるが、時刻ｔ４以後は、再生が完了した領域に上書き記録していけばよいので、必要最小限の記録容量は、時間ＴＤ相当の容量となる。時刻ｔ３からｔ５までの再生時間は、時間ＴＴに等しいので、時間ＴＤは、（ＴＴ＋ＴＲ）に等しい。時間ＴＴは、記録開始時刻ｔ０から記録動作を停止して巻き戻しを開始する時刻ｔ２までの時間（以下「テープ記録時間」という）であり、時間ＴＲは、磁気テープ１００の記録開始位置までの巻き戻しに要する時間（以下「巻き戻し時間」という）である。
【００４２】
図６に示す例のようにテープ記録時間ＴＴが、信号（Ｐ１＋Ｐ２）全体の時間ＴＰの１／２以下であるときは、磁気ディスク２００の最小必要記録容量ＤＭＩＮは、時間ＴＤ＝ＴＴ＋ＴＲに相当する容量となる。したがって、最小必要記録容量ＤＭＩＮが最大値ＤＭＩＮＭＡＸとなるのは、ＴＴ＝ＴＰ／２であるときであり、最大値ＤＩＭＩＮＭＡＸは、時間（ＴＰ／２＋ＴＲ）に相当する容量となる。
【００４３】
またテープ記録時間ＴＴが、全体時間ＴＰの１／２より長いときは、図７に示すように、磁気ディスク２００上の一時記録領域として必要最小限の記録容量は、時間ＴＤ＝ＴＰ−ＴＴに相当する容量となる。ここで、ＴＴ＞ＴＰ／２であるから、ＴＤ＜ＴＰ／２である。なお、図７から明らかなように、実際には重複記録のための時間ＴＯＬに相当する容量が必要であるが、通常は時間ＴＤに比べて時間ＴＯＬは、非常に短い（図では、分かり易くするために、時間ＴＯＬを実際より長く示している）ので、ほとんど無視できる。さらに、重複記録時間ＴＯＬは、テープ記録時間ＴＴがＴＰ／２である場合の巻き戻し時間ＴＲよりははるかに短くて足りるので、テープ記録時間が全体時間ＴＰの１／２より長い場合を考慮しても、最小必要記録容量ＤＭＩＮの最大値ＤＭＩＮＭＡＸは、時間（ＴＰ／２＋ＴＲ）に相当する容量となる。
【００４４】
したがって、磁気ディスク２００の一時記録領域の記録容量は、時間（ＴＰ／２＋ＴＲ）に相当する容量、すなわち記録すべき情報の量の１／２に磁気テープの巻き戻しに要する時間に相当する情報量を加えた容量を確保しておけば、過不足がない。ひとまとまりの情報の量（時間ＴＰに相当する情報量）が、巻き戻し時間ＴＲに比べて大きいときは（通常はそのような場合がほとんどである）、時間ＴＰに相当する情報量の略１／２の記録容量を確保しておけばよいことになる。このことは、使用する磁気テープ１００の全記録容量の略１／２の記録容量を確保しておけば、記録すべき情報の量が、その磁気テープ１００に記録可能な最大の情報量に相当する場合でも、追いかけ再生記録によって、記録すべき情報をすべて記録できることを意味する。
【００４５】
さらに、磁気ディスク２００への記録は上述したようにファイル形式で行われるので、常に磁気ディスク２００の空き容量ＤＶは既知である。したがって、空き容量ＤＶ、すなわち追いかけ再生記録のための一時記録領域として使用できる記録容量が、記録すべきひとまとまりの情報の量の略１／２より小さいときは、追いかけ再生記録モードへの移行を禁止する制御を行うことが望ましい。そのような制御は、装置全体の制御を行う制御部（図示せず）において行うようにし、記録に必要な容量、すなわち記録時間は、例えばタイマ予約記録の設定時間（タイマ記録開始時刻と終了時刻）から得るようにする。
【００４６】
このような制御を行うことにより、タイマにより記録予約した情報の記録中に、使用者が追いかけ再生記録動作を指示したために、記録すべき情報の終わりの部分が記録されないという事態を回避することができる。
なお本発明は上述した実施形態に限るものではなく、種々の変形が可能である。例えば、電子プログラムガイド（ＥＰＧ）が付されて送信されるディジタルテレビ放送信号を受信して記録するような場合には、電子プログラムガイドから必要な記録時間の情報を得るようにしてもよい。
【００４７】
また上述した実施形態では、第１の記録手段としての磁気テープの記録再生部と、第２の記録手段としての磁気ディスクの記録再生部とを備えた複合情報記録装置の例を示したが、第１の記録手段は、磁気テープの記録再生部に代えて、光ディスクの記録再生部により構成するようにしてもよい。その場合には、上記巻き戻し時間ＴＲに相当する時間は、磁気テープの場合に比べると非常に短くなるので、磁気ディスク上の必要な記録容量を、さらに減少させることができ、ほぼＴＰ／２に等しくすることができる。
また第２の記録手段は、磁気ディスクの記録再生部に代えて、半導体メモリを用いた記録再生部としてもよい。
【００４８】
【発明の効果】
以上詳述したように請求項１に記載した発明によれば、第１の記録手段による記録を補助するために設けられている第２の記録手段の一時記録領域の記録容量が、第１の記録手段の記録容量の略１／２とされるので、第２の記録手段の一時記録領域の記録容量が、第１の記録手段の記録容量に対応して過不足のない適切な容量に設定され、第２の記録手段において他の情報を記録できる容量を十分に確保することができる。また第１の記録手段に記録された入力ディジタル信号の再生終了後は、第２の記録手段はその一時記録領域に記録された入力ディジタル信号を再生すると共に、その再生された入力ディジタル信号を第１の記録手段が記録するので、最終的に着脱可能な記録媒体にすべての入力ディジタル信号を記録する追いかけ再生記録動作を実現することが可能となる。しかも、入力ディジタル信号の終了時点ですべての信号が着脱可能な記録媒体に連続性を維持して記録されているので、入力ディジタル信号を最初から最後まで通して着脱可能な記録媒体に記録した場合と同じ記録済みの着脱可能な記録媒体を得ることができる。
【００４９】
請求項２に記載した発明によれば、一時記録領域の記録容量が、第１の記録手段により記録すべきひとまとまりの情報の量の略１／２される。したがって、一時記録領域の記録容量が、記録すべきひとまとまりの情報の量に対応して過不足のない適切な容量に設定され、第２の記録手段において他の情報を記録できる容量を十分に確保することができる。また第１の記録手段に記録された入力ディジタル信号の再生終了後は、第２の記録手段はその一時記録領域に記録された入力ディジタル信号を再生すると共に、その再生された入力ディジタル信号を第１の記録手段が記録するので、最終的に着脱可能な記録媒体にすべての入力ディジタル信号を記録する追いかけ再生記録動作を実現することが可能となる。しかも、入力ディジタル信号の終了時点ですべての信号が着脱可能な記録媒体に連続性を維持して記録されているので、入力ディジタル信号を最初から最後まで通して着脱可能な記録媒体に記録した場合と同じ記録済みの着脱可能な記録媒体を得ることができる。
【００５０】
請求項３に記載した発明によれば、一時記録領域の記録容量が、第１の記録手段により記録すべきひとまとまりの情報の量の略１／２より少ないときは、追いかけ再生記録モードへの移行が禁止されるので、追いかけ再生記録動作を行う場合に、記録すべき情報を最後まで記録できないような事態を確実に回避することができる。
【図面の簡単な説明】
【図１】本発明の一実施形態にかかるディジタル信号記録再生装置の要部の構成を示すブロック図である。
【図２】磁気テープ上の記録パターンを説明するための図である。
【図３】磁気テープに記録される制御情報の構成を示す図である。
【図４】磁気ディスクに記録するファイルのフォーマットを示す図である。
【図５】磁気テープに記録されるデータの構成を説明するための図である。
【図６】追いかけ再生記録動作を説明するためのタイムチャートである。
【図７】追いかけ再生記録動作を説明するためのタイムチャートである。
【符号の説明】
１１  ＴＳデコード部（第１の記録手段、第２の記録手段）
１２  記録タイムスタンプ生成部（第１の記録手段、第２の記録手段）
１３  タイムスタンプ付加部（第１の記録手段、第２の記録手段）
１５，１５ａ  テープ信号処理部（第１の記録手段）
１６  テープ記録再生部（第１の記録手段）
１７  パケットカウンタ（第２の記録手段）
１８  メモリ（第２の記録手段）
１９，１９ａ  ディスク信号処理部（第２の記録手段）
２０  ディスク記録再生部（第２の記録手段）
２２、２４  メモリ（第２の記録手段）
２３  ＴＳエンコード部（第２の記録手段）
２６  再生タイムスタンプ生成部（第１の記録手段、第２の記録手段）
２７  ＴＳエンコード部（第１の記録手段、第２の記録手段）
１００  磁気テープ（記録媒体）
２００  磁気ディスク（第２の記録手段）
【図１】
0003740976.tif 000002
【図２】
0003740976.tif 000003
【図３】
0003740976.tif 000004
【図４】
0003740976.tif 000005
【図５】
0003740976.tif 000006
【図６】
0003740976.tif 000007
【図７】
0003740976.tif 000008